(57)【要約】【課題】横にしても水が漏れない花束容器を提供する。【解決手段】花束容器は、花束の茎部分を把持する柔軟性部材と、花束の茎部分を取り囲むように前記柔軟性部材を収容する第１の筒状部材と、第１の筒状部材の周面を覆って第１の筒状部材を収容する第２の筒状部材と、第２の筒状部材が挿入される開口部を有し、当該開口部の縁部に第２の筒状部材の開口端を接合させて第２の筒状部材を収容する細長状容器とを備え、第１の筒状部材は、周面が軸方向に割れて開放されており、周面の開放部分から柔軟性部材を内部に収容可能な可撓性を有している。【選択図】図１
2014151058.tif 000002
【特許請求の範囲】
【請求項１】
花束の茎部分を把持する柔軟性部材と、
花束の茎部分を取り囲むように前記柔軟性部材を収容する第１の筒状部材と、
前記第１の筒状部材の周面を覆って前記第１の筒状部材を収容する第２の筒状部材と、
前記第２の筒状部材が挿入される開口部を有し、当該開口部の縁部に前記第２の筒状部材の開口端を接合させて前記第２の筒状部材を収容する細長状容器とを備え、
前記第１の筒状部材は、周面が軸方向に割れて開放されており、周面の開放部分から前記柔軟性部材を内部に収容可能な可撓性を有していることを特徴とする花束容器。
【請求項２】
請求項１において、
前記細長状容器は、円周方向にわたって形成されるくぼみ部を有し、該くぼみ部は、前記細長状容器に挿入された前記第２の筒状部材の周面と圧着することを特徴とする花束容器。
【請求項３】
請求項２において、
前記柔軟性部材は、２つの半割り部材を合わせて、前記第１の筒状部材の断面形状に合う外周面を形成し、前記二つの半割り部材の外周側一端は互いに連結していることを特徴とする花束容器。
【請求項４】
請求項３において、
前記柔軟性部材の中心に、軸方向に延びる貫通孔が形成されることを特徴とする花束容器。
【発明の詳細な説明】
【技術分野】
【０００１】
本発明は、花束を収容する花束容器に関する。
【背景技術】
【０００２】
切り花を束にした花束の輸送や陳列に用いるための容器は、花束の鮮度を維持するために、花束の茎下端部が水に浸かる程度に容器内に水を入れて、花束を保持している。容器内に水が入っていることから、輸送や持ち運びの途中で揺動により水がこぼれ、また、それにより、花束の茎下端部が水に浸からず、到着地までに花束の鮮度が低下してしまうことが多いので、その改善が望まれている。
【０００３】
切り花類の輸送や持ち運びに際し、多少揺動しても容器内の水が容易に流出しないようにして切り花類の鮮度を保つことができる容器として、特許文献１が提案されている。特許文献１の容器は、円筒状容器に対して、ラッパ状に上方が拡開した切り花支持管を内挿し、切り花支持管の下端が円筒状容器の底部に達しないように、両者を接合固定する構成することで、切り花支持管に切り花類の茎を詰め込むように挿入することで、円筒状容器内の水が容易に流出しないようにするものである。
【先行技術文献】
【特許文献】
【０００４】
【特許文献１】実用新案登録第３１０４２２６号
【発明の概要】
【発明が解決しようとする課題】
【０００５】
しかしながら、特許文献１の容器は、多少の揺動では水はこぼれないが、容器が横になるような状況では依然として水漏れが発生し、水漏れ防止機能を十分に果たしていない。
【０００６】
そこで、本発明の目的は、横にしても水が漏れず、水漏れ防止機能をより強化した花束容器を提供することにある。
【０００７】
また、本発明の目的は、簡単な作業で、花束を挿入することができる花束容器を提供することにある。
【課題を解決するための手段】
【０００８】
上記目的を達成するための本発明の花束容器の構成は、花束の茎部分を把持する柔軟性部材と、花束の茎部分を取り囲むように柔軟性部材を収容する第１の筒状部材と、第１の筒状部材の周面を覆って第１の筒状部材を収容する第２の筒状部材と、第２の筒状部材が挿入される開口部を有し、当該開口部の縁部に第２の筒状部材の開口端を接合させて第２の筒状部材を収容する細長状容器とを備え、第１の筒状部材は、周面が軸方向に割れて開放されており、周面の開放部分から柔軟性部材を内部に収容可能な可撓性を有していることを特徴とする。
【発明の効果】
【０００９】
本発明の花束容器によれば、傾けたり横にしても水が漏れず、簡単な作業で、花束を挿入することができる花束容器が実現される。
【図面の簡単な説明】
【００１０】
【図１】本発明の実施の形態における花束容器の構成を示す図である。
【図２】柔軟性部材１２を示す図である。
【図３】内側筒状部材１４を示す図である。
【図４】外側筒状部材１６を示す図である。
【図５】細長状容器１８を示す図である。
【発明を実施するための形態】
【００１１】
以下、図面を参照して本発明の実施の形態について説明する。しかしながら、かかる実施の形態例が、本発明の技術的範囲を限定するものではない。
【００１２】
図１は、本発明の実施の形態における花束容器の構成を示す図であり、図１（ａ）は斜視図、図１（ｂ）は図１（ａ）のＡ−Ａ線断面図である。図１において、花束容器１０は、花束の茎部分を把持する柔軟性部材１２と、花束の茎部分を取り囲むように柔軟性部材１２を収容する内側筒状部材１４と、内側筒状部材１４の周面を覆って該内側筒状部材１４を収容する外側筒状部材１６と、該外側筒状部材１６が挿入される開口部を有して当該開口部の縁部に外側筒状部材１６の開口端を接合させて外側筒状部材１６を収容する細長状容器１８とを備えて構成される。
【００１３】
図２は、柔軟性部材１２を示す図である。柔軟性部材１２は、例えばスポンジのように柔軟性を有して収縮可能であり且つ水分を吸収する材料で形成され、内側筒状部材１４の断面形状に合った外周形状を有する。すなわち、内側筒状部材１４が円筒管である場合、柔軟性部材１２は、図２（ａ）に示すように、その円形の外周面を有する円柱形状に形成される。柔軟性部材１２の径寸法は、若干の収縮により、内側筒状部材１４に収まる程度に設定され、柔軟性部材１２は、内側筒状部材１４に押し込められた状態で収容される。
【００１４】
また、柔軟性部材１２は、２つの半割り部材１２ａ、１２ｂを合わせて、内側筒状部材１４の断面形状に合う外周面を形成し、図２（ｂ）に示すように、この２つの半割部材１２ａ、１２ｂの外周側の一端は互いに連結し、他端が開放可能に構成される。一端側が連結していることで、花束を挟む２つの半割り部材がずれることなく、花束を２つの半割り部材の間に挟む作業が簡便になる。
【００１５】
さらに、柔軟性部材１２の中心には、軸方向に延びる貫通孔１２ｃが形成される。貫通孔１２ｃは、挟まれる花束の茎部分を柔軟性部材１２の中心に位置決めするためのものであり、花束の茎部分を貫通孔１２ｃの位置に合わせて挟み、ユーザが柔軟性部材１２を周囲からつかむことで、柔軟性部材１２が収縮して花束が把持される。
【００１６】
ユーザは、柔軟性部材１２（２つの半割り部材１２ａ、１２ｂ）を開き、その中心部分（貫通孔１２ｃ付近）に、数本の花束の茎部分を挟んで、柔軟性部材１２を閉じ、その状態の柔軟性部材１２を、内側筒状部材１４に入れる。
【００１７】
図３は、内側筒状部材１４を示す図であり、図３（ａ）は斜視図、図３（ｂ）は図３（ａ）のＢ−Ｂ線断面図である。内側筒状部材１４は、柔軟性部材１２より長い長さを有し、柔軟性部材１２を収容する筒状部材であって、例えばプラスチック素材で形成される。内側筒状部材１４は、図示されるように、柔軟性部材１２を位置決めするための段差部分１４ａ、及び後述する外側筒状部材１６の周状凹部と合う周状凸部１４ｂが形成されている。
【００１８】
ユーザは、花束が挟まれた柔軟性部材１２を内側筒状部材１４にその開口部分から挿入することで、柔軟性部材１２が収縮して内側筒状部材１４に収容され、花束が挟まれた柔軟性部材１２が開くのを抑えることができる。
【００１９】
また、内側筒状部材１４は、図３（ａ）に示すように、その周面が軸方向に割れて開放されており、周面の開放部分１４ｃから柔軟性部材を内部に収容可能な可撓性を有している。周面が割れていることで、ユーザは、その開放部分１４ｃから花束が挟まれた柔軟性部材１２を内側筒部材１４内に容易に入れることができる。
【００２０】
図４は、外側筒状部材１６を示す図であり、図４（ａ）は斜視図、図４（ｂ）は図４（ａ）のＣ−Ｃ線断面図である。外側筒状部材１６は、内側筒状部材１４を収容するために、内側筒状部材１４より一回り大きな寸法を有し、内側筒状部材１４と同様に、例えばプラスチック素材で形成される。内側筒状部材１４の段差部分１４ａが当接する段差部分１６ａ、及び内側筒状部材１４の周状凸部１４ｂに合う周状凹部１６ｂが形成されている。さらに、外側筒状部材１６の開口縁部に設けられるフランジ部１６ｃは、外側筒状部材１６が細長状容器１８に挿入された際に、細長状容器１８の上端開口縁部と接合し、外側筒状部材１６を細長状容器１８内に落ちないように支持する。
【００２１】
ユーザは、柔軟性部材１２が収容された内側筒状部材１４を手に持って、それを外側筒状部材１６に挿入する。仮に、内側筒状部材１４を用いずに、花束が挟まれた柔軟性部材１２を直接外側筒状部材１６に収容させようとする場合、長さ５０〜６０ｃｍ程度の花束が挟まれた柔軟性部材１２だけを持って、外側筒状部材１６に入れようとすると、花束がぐらついて入れにくく、作業性が悪い。本発明では、周面が軸方向に切れて割れている内側筒状部材１４を用意し、花束が挟まれた柔軟性部材１２を、一旦、内側筒状部材１４の割れた周面から収容させ、花束が挟まれた内側筒状部材１４ごと、外側筒状部材１６に入れることで、花束を外側筒状部材１６に挿入しやすくなり、その作業が簡単になり、作業効率が格段に向上する。
【００２２】
図５は、細長状容器１８を示す図であり、図５（ａ）は斜視図、図５（ｂ）は図５（ａ）のＤ−Ｄ線断面図である。細長状容器１８は、内側筒状部材１４及び外側筒状部材１６と同様に、例えばプラスチック素材で形成され、手で握りやすい円筒型である。好ましくは、底部に向けて先細となるように形成することで、より握りやすい形状とすることができる。細長状容器１８の透明、半透明、不透明及び着色はデザイン上適宜選択可能である。
【００２３】
細長状容器１８は、内側筒状部材１４及び外側筒状部材１６よりも長い長さを有し、内側筒状部材１４及び外側筒状部材１６が挿入された状態で、これらの下端部は、細長状容器１８の底部には達しない。また、内側筒状部材１４及び外側筒状部材１６は、その上端開口部から下端部に向けて、それぞれの段差１６ａ及び１４ａにより、上端側より下端側が細くなるように形状が設計され、内側筒状部材１４及び外側筒状部材１６が挿入されている内部領域における細長状容器１８の径は、内側筒状部材１４及び外側筒状部材１６の径よりも余裕をもって大きく設定される。
【００２４】
細長状容器１８の寸法例として、例えば、長さ１５０〜２００ｍｍ程度、上端開口部の径５０〜６０ｍｍ程度であり、内側筒状部材１４及び外側筒状部材１６の下端側に向けて先細形状としても、その下端側の内径も３０〜４０ｍｍ程度を確保することができる。また、柔軟性部材１２の厚さは、およそ２５〜３０ｍｍ程度である。
【００２５】
細長状容器１８の周面には、くぼみ部１８ａが円周方向にわたって形成され、くぼみ部１８ａは、外側筒状部材１６の周面を支持する。くぼみ部１８ａの径は、外側筒状部材１６の対応する位置の径より若干狭く、軽い力で押し込むことにより、外側筒状部材１６の外周面は、くぼみ部１８ａに圧着される。
【００２６】
ユーザは、花束が挟まれた外側筒状部材１６（花束は柔軟性部材１２により挟まれ、その柔軟性部材１２を収容する内側筒状部材１４が挿入された外側筒状部材１６）を、そのフランジ部１６ｃが細長状容器１８の上端開口縁部に被るように挿入する。
【００２７】
細長状容器１８には、内側筒状部材１４及び外側筒状部材１６が挿入された状態で、水位がそれらの下端部に達しない程度に水が入れられ、内側筒状部材１４及び外側筒状部材１６から出ている花束の茎部分の根元付近は水に浸る。
【００２８】
細長状容器１８が揺動して傾いたり、水平程度にまで横になった場合、水は、くぼみ部１８ａや、フランジ部１６ｃにより、外部への水漏れが防止され、細長状容器１８内に留まる。また、水が内側筒状部材１４内に浸入した場合でも、柔軟性部材１２の水分吸収によって、水漏れが防止される。
【００２９】
そして、花束が挟まれた柔軟性部材１２を一旦内側筒状部材１４に収容してから、内側筒状部材１４を外側筒状部材１６に挿入し、その外側筒状部材１６を細長状容器１８に内挿する構成とすることで、ユーザの作業が簡便となり、短時間で効率的に、花束容器に挿入された花束を造ることができる。
【００３０】
本発明は、前記実施の形態に限定されるものではなく、本発明の分野における通常の知識を有する者であれば想到し得る各種変形、修正を含む要旨を逸脱しない範囲の設計変更があっても、本発明に含まれることは勿論である。
【符号の説明】
【００３１】
１０：花束容器、１２：柔軟性部材、１４：内側筒状部材、１６：外側筒状部材、１８：細長状容器
【図１】
2014151058.tif 000003
【図２】
2014151058.tif 000004
【図３】
2014151058.tif 000005
【図４】
2014151058.tif 000006
【図５】
2014151058.tif 000007